(57)【要約】【課題】原水による開閉弁の汚染のリスクがなく、かつ構造が簡単で、さらにはＲＯ水の医療用装置への供給中に、逆浸透膜を水質の改善された軟水によって自動洗浄可能なＲＯ水製造装置、及び該装置を使用したＲＯ水の製造方法の提供。【解決手段】軟水貯蔵容器中の貯蔵軟水の水質をＲＯ水によって改善させ、この水質が改善された軟水を利用して、ＲＯ水の医療用装置への供給中にＲＯ水製造部材の逆浸透膜の洗浄を間欠的に行うことができ、かつ該洗浄中もＲＯ水貯蔵容器内に貯蔵されたＲＯ水を医療用装置へ連続して供給することができる医療用装置にＲＯ水を供給するＲＯ水製造装置。【選択図】図１
2014018403.tif 000002
【特許請求の範囲】
【請求項１】
少なくとも下記（１）〜（１１）の部材を有して構成されることを特徴とする医療用装置に供給するＲＯ水製造装置。
（１）軟水を軟水貯蔵容器に供給する第１軟水供給ライン。
（２）軟水貯蔵容器。
（３）軟水貯蔵容器から軟水を逆浸透膜へ供給する第２軟水供給ライン。
（４）軟水をＲＯ水に純化する逆浸透膜。
（５）逆浸透膜で純化されたＲＯ水をＲＯ水貯蔵容器に送液するＲＯ水第１送液ライン。
（６）ＲＯ水貯蔵容器。
（７）ＲＯ水貯蔵容器の貯蔵ＲＯ水を医療用装置に供給するＲＯ水供給ライン。（８）前記（７）のＲＯ水供給ラインに設けられた該ラインの手段
（９）医療用装置から返送されるＲＯ水を軟水容器に返送するＲＯ水返送ライン。
（１０）逆浸透膜を洗浄した軟水を排出する洗浄軟水の排出ライン。
（１１）逆浸透膜を不通過の軟水を軟水貯蔵容器に返送する返送ライン。
【請求項２】
ＲＯ水第１送液ラインから分岐し、かつ軟水貯蔵容器と連結するとともにその中間部に開閉手段を備えた、逆浸透膜で純化されたＲＯ水を軟水貯蔵容器に送液するＲＯ水第２送液ラインを有することを特徴とする請求項１に記載のＲＯ水製造装置。
【請求項３】
軟水貯蔵容器内に貯留された軟水の水質を計測する水質計測部材を有することを特徴とする請求項１または２に記載のＲＯ水製造装置。
【請求項４】
水質計測部材によって計測された軟水貯蔵内に貯蔵された軟水の純度指標値が、既定値以上に改善された場合には、該軟水を使用して逆浸透膜の洗浄を行うよう制御する制御手段を有することを特徴とする請求項１〜３のいずれかに記載のＲＯ水製造装置。
【請求項５】
軟水の水質を計測する水質計測部材が、軟水の純度指標として比電気抵抗（比抵抗）あるいは導電率を使用するものである請求項３または４に記載のＲＯ水製造装置。
【請求項６】
逆浸透膜を不通過の濃縮水を軟水貯蔵容器に戻す返送ラインを有することを特徴とする請求項１〜５のいずれかに記載のＲＯ水製造装置。
【請求項７】
ＲＯ水貯蔵容器に貯留されたＲＯ水の貯留量を検知する検知手段を有する請求項１〜６のいずれかに記載のＲＯ水製造装置。
【請求項８】
ＲＯ水の貯留量を検知する検知手段が、ＲＯ水貯蔵容器に貯留されたＲＯ水の液面位置を検知する液面検知手段である請求項７記載のＲＯ水製造装置。
【請求項９】
医療用装置が多人数用透析液供給装置（セントラル）である請求項１〜８のいずれかに記載のＲＯ水製造装置。
【請求項１０】
請求項１〜９のいずれかに記載のＲＯ水製造装置を使用した医療用装置用のＲＯ水の製造方法において、逆浸透膜により純化されたＲＯ水の軟水貯蔵容器への返送および／または医療用装置からの軟水貯蔵容器へのＲＯ水の返送により、軟水貯蔵容器内に貯蔵された軟水の水質の改質を行ことを特徴とする医療用装置用ＲＯ水の製造方法。
【請求項１１】
改質された軟水貯蔵容器内の軟水を使用して逆浸透膜の洗浄を行う請求項１０記載のＲＯ水の製造方法。
【請求項１２】
改質された軟水が既定値を超えて改善されると、制御手段によって逆浸透膜の洗浄が開始されるよう制御される請求項１０または１１に記載のＲＯ水の製造方法。
【発明の詳細な説明】
【技術分野】
【０００１】
本発明は、医療用装置にＲＯ水を供給するＲＯ水製造装置、ならびに該装置を使用した、ほぼ完全に不純物をろ過除去した医療用装置用ＲＯ水の製造方法に関する。なお、本発明においては、ＲＯ水とは、ＲＯ水製造部材の半透膜の逆浸透（Ｒｅｖｅｒｓｅ  Ｏｓｍｏｓｉｓ  ：ＲＯ）により不純物をろ過除去した水のことを言う。
【先行技術文献】
【特許文献】
【０００２】
【特許文献１】特許第３７０１０１２
【発明の概要】
【発明が解決しようとする課題】
【０００３】
本発明は医療用装置にＲＯ水を供給するＲＯ水製造装置及び該装置を利用したＲＯ水の製造方法に関する。本出願人は、既に逆浸透膜自動洗浄機構付ＲＯ水製造部材を提案している（特許第３７０１０１２）。しかしながら、該装置は逆浸透膜を自動洗浄するためのＲＯ水の再循環機構ラインが、該ラインに設けた開閉弁を介して原水ラインと繋がっているため、何らかの原因によって開閉弁が遮断されない場合、原水による開閉弁の汚染のリスクがあり、加えて、ＲＯ水の再循環機構ラインを設けてＲＯ水によって逆浸透膜を洗浄するため、ＲＯ水製造装置の構造が複雑化し、コストアップになる等の問題があった。
【課題を解決するための手段】
【０００４】
本発明の医療用装置にＲＯ水を供給するＲＯ水製造装置は、少なくとも軟水貯蔵容器、該軟水貯蔵容器に軟水を供給する第１軟水供給ライン、軟水貯蔵容器から軟水をＲＯ水製造部材へ供給する送液手段を備えた第２軟水供給ライン、軟水貯蔵容器から供給される軟水をＲＯ水に純化する逆浸透膜、ＲＯ水貯蔵容器、前記逆浸透膜で純化されたＲＯ水をＲＯ水貯蔵容器に供給するＲＯ水第１送液ライン、ＲＯ水貯蔵容器の貯蔵ＲＯ水を医療用装置に供給するＲＯ水供給ライン、医療装置から返却されるＲＯ水を軟水容器に返送させるＲＯ水返送ライン、逆浸透膜を洗浄した軟水の排出ライン、及び逆浸透膜を不通過の軟水を軟水貯蔵容器に返送する返送ラインを有して構成されることを特徴とする。また、本発明のＲＯ水製造装置は、さらに前記逆浸透膜で純化されたＲＯ水を軟水貯蔵容器に送液する、ＲＯ水製造ラインと軟水貯蔵容器とを連結したＲＯ水送液ライン（以下、ＲＯ水第２送液ラインと言う）を備えたものが望ましく、該ＲＯ水第２送液ラインは中間部に開閉手段を有するものがより好ましい。
前記ＲＯ水が供給される医療用装置としては、例えば多人数用透析液供給装置（セントラル）がある。また、本発明においては、ＲＯ水とは水中に水以外に不純物をほとんど含まないものであるのに対して、軟水はカルシウム・マグネシウムを取り除いた水を言う。  
【０００５】
本発明の医療用装置に供給するＲＯ水製造装置は、軟水貯蔵容器中の貯蔵軟水の水質を、前記ＲＯ水返送ラインおよび／またはＲＯ水第２送液ラインから送液されるＲＯ水によって改善させ、濾過膜による軟水濾過効率を向上することができる。また、この水質が改善された軟水を利用して逆浸透膜を洗浄することで、該洗浄をより効果的に行うことができる。例えばＲＯ水の製造中に逆浸透膜の洗浄を間欠的に行うことができる。  
【発明の効果】
【０００６】
本発明により、前記課題を解決したＲＯ水製造装置を提供することができた。
【図面の簡単な説明】
【０００７】
【図１】ＲＯ水製造装置の構成を示した説明図である。
【図２】ＲＯ水製造装置の別態様の構成を示した説明図である。
【図３】ＲＯ水製造装置の別態様の構成を示した説明図である。
【図４】ＲＯ水製造装置の制御動作の１態様を示した説明図である。
【図５】ＲＯ水製造装置の制御動作の他の態様を示した説明図である。
【発明を実施するための形態】
【０００８】
以下、本発明のＲＯ水製造装置の構造とその動作の実施の態様を図１と図２に基づいて説明する。
実施の態様１
ＲＯ水製造装置の構造
本実施の態様のＲＯ水製造装置は、軟水貯蔵タンク１に軟水を供給する、バルブＶ２が装着された第１軟水供給ラインＬ１、軟水貯蔵タンク１、該軟水貯蔵タンク１内に貯留された軟水の水質を計測する水質計測部材４、軟水貯蔵タンク１から逆浸透膜２へ軟水を供給する、送液ポンプＰ２を備えた第２軟水供給ラインＬ３、第２軟水供給ラインＬ３に連結され、バルブＶ４を備えた軟水排出ラインＬ１３、軟水貯蔵タンク１から供給される軟水をＲＯ水に純化する逆浸透膜２、バルブＶ５とバルブＶ６を備え、逆浸透膜２を洗浄した軟水を排出する排出ラインＬ４とＬ５、ＲＯ水貯蔵タンク３（このＲＯ水貯蔵タンク３は該ＲＯ水貯蔵タンク３内に貯留されるＲＯ水の水質を検査する検査部材を有していても良い。）、ＲＯ水貯蔵タンク３内に貯留された液面を測定する液面測定部材５、逆浸透膜２で純化されたＲＯ水をＲＯ水貯蔵タンク３に送液する、バルブＶ８を備えたＲＯ水第１送液ラインＬ７、ＲＯ水貯蔵タンク３の貯蔵ＲＯ水を医療用装置（不図示）に供給する送液手段Ｐ３を備えたＲＯ水供給ラインＬ９と送液手段Ｐ４を備えたＲＯ水供給ラインＬ１０、バルブＶ７を備えた逆浸透膜２で純化されたＲＯ水を軟水貯蔵タンク１に送液するＲＯ水第２送液ラインＬ６、医療用装置（不図示）から返却されるＲＯ水を軟水貯蔵タンク１に返送する、バルブＶ９を備えたＲＯ水返送ラインＬ１１と、バルブＶ１０を備えたＲＯ水返送ラインＬ１２、及び逆浸透膜２を非通過の濃縮水を軟水貯蔵タンク１に戻す濃縮水戻りラインＬ２を有する。また、本実施態様のＲＯ水製造装置は、水質計測部材によって計測された軟水貯蔵タンク１内に貯蔵された軟水の純度指標値が、既定値以上に改善された場合には、該軟水を使用してＲＯ製造部材の逆浸透膜の洗浄を行うよう制御する制御手段を有していても良い。
【０００９】
実施態様２
１．ＲＯ水の製造動作。
第１軟水供給ラインＬ１から供給され、軟水貯蔵タンク１に貯蔵された軟水は、送液ポンプＰ２が装着された第２軟水供給ラインＬ３から逆浸透膜２に供給され、該逆浸透膜２を通過することによってＲＯ水が製造される。この製造されたＲＯ水は、一旦、ＲＯ水貯蔵タンク３に貯蔵され、その後、医療用装置にＲＯ水供給ラインＬ９及びＬ１０から供給される。前記軟水貯蔵タンク１への軟水の供給は、例えば図２に示すように、第１軟水供給ラインＬ１にバルブＶ１、ポンプＰ１及び原水例えば水道水の軟水化装置４が装着された原水供給ラインＬを連結し、前記軟水化装置４によって原水を軟水化し、前記軟水供給ラインＬ１を使用して行うことができる。また、上述のＲＯ水の製造動作中に、逆浸透膜２を不通過の濃縮軟水を排出ラインＬ４あるいはＬ５から排出させるか、あるいは必要に応じて返送ラインＬ２から軟水貯蔵容器１に返送することができる。
【００１０】
２．軟水貯蔵タンク１内に貯留された軟水の水質の改善
軟水貯蔵タンク１内に貯留された軟水の水質の改善は、例えば以下のようにして行うことが出来る。
（１）医療用装置からの軟水貯蔵タンク１内へのＲＯ水の返送。
このＲＯ水の返送は、例えば医療用装置のＲＯ水の使用量が減少した場合、あるいは医療用装置が休止している場合に行うことができる。
（２）逆浸透膜２で純化されたＲＯ水の軟水貯蔵タンク１への送液。  
このＲＯ水の送液は、ＲＯ水第１送液ラインＬ７のバルブＶ８を閉じ、ＲＯ水第２送液ラインＬ６のバルブＶ７を開き、ＲＯ水第２送液ラインＬ６により、ＲＯ水を軟水貯蔵タンク１内へ送液させることによって行うことができる。この送液は、例えばＲＯ水の貯蔵タンク１内に貯留されたＲＯ水の液面が、該液面の計測手段５によって既定値を超えたことが計測された場合に開始される。  この逆浸透膜２で純化されたＲＯ水の軟水貯蔵タンク１への送液を行うことによって、軟水貯蔵タンク１内の水質を逆浸透膜２の洗浄に適した水質に改善することができるだけでなく、ＲＯ水貯蔵３内にＲＯ水が満杯になった時でもＲＯ水の製造を中止することなく続行することができるので、ＲＯ水の製造を効率的に行うことができ、かつＲＯ水の製造システムが簡単となる。また、前記（１）および／または（２）によるＲＯ水の返送により、軟水貯蔵タンク１内の軟水が満杯になった時には、第１軟水供給ラインＬ１からの軟水の供給を中止するか、軟水排出ラインＬ１３から排出しても良い。
【００１１】
３．逆浸透膜２の洗浄
前記２．の水質改善の動作により、軟水貯蔵容器１中の軟水の水質が、該軟水を逆浸透膜２の洗浄に使用しても十分なものとなったと軟水の水質測定部材４により確認された場合、通常運転時に開放されている軟水排出ラインＬ４あるいはＬ５に代えて、軟水排出ラインＬ４とＬ５の双方から排出しながら、大量の前記水質の改善された軟水で逆浸透膜２の一次側を洗浄する。前記逆浸透膜２の洗浄の間、医療用器具（不図示）へのＲＯ水の供給は、ＲＯ水供給ラインＬ９、１０から続行することもできる。前記軟水貯蔵容器１中の軟水の水質測定手段４による水質測定は、該軟水に含まれるイオンを化学分析で定量的にも行うことができるが、純度指標として比抵抗や伝導率の計測による方が、水質の連続測定が可能なので好ましい。
【００１２】
４．ＲＯ水貯蔵容器から医療用装置への供給
ＲＯ水の医療用装置への供給ラインの本数（例えば図１と２における本数はＬ９とＬ１０の２個）は、ＲＯ水の供給を必要とする医療用装置の個数によって調整することができる。また、ＲＯ水の医療用装置への供給ラインは、送液手段（例えば図１と２におけるＰ３とＰ４の２個）を備えたものが好ましい。
【００１３】
５．医療用装置でのＲＯ水の使用と医療用装置からのＲＯ水の返液
医療用装置にＲＯ水を供給するＲＯ水供給ラインＬ９とＬ１０、及びＲＯ水が返送されるＲＯ水返送ラインＬ１１とＬ１２を連結し、ＲＯ水貯蔵タンク３に貯蔵されたＲＯ水を、前記ＲＯ水供給ラインＬ９とＬ１０から医療用装置例えば多人数用透析液供給装置（セントラル）に供給して、透析液の製造に使用し、その使用中に医療用装置のＲＯ水の使用量が減少した場合、あるいはＲＯ水を使用しない場合に、ＲＯ水をＲＯ水返送ラインＬ１１とＬ１２を介して軟水貯蔵タンク１に返送させて該軟水貯蔵タンク１内に貯留させた軟水の水質の改善を行うことができる。返送ラインには開閉手段（Ｖ９、Ｖ１０等のバルブ）を設けて、必要に応じて該ラインの開閉を行うことが望ましい。
【００１４】
前記１．〜５．の各動作は、ＲＯ水製造装置に前記各動作を制御する制御部材６を設け、該制御部材６によって制御して行うことが好ましい。該制御部材６としては、例えば図４と５に示すように制御ラインＬ１４〜Ｌ２４を有するものが挙げられるが、制御部材６は前記制御ラインＬ１４〜Ｌ２４の全部を有しないものであっても良い。
【００１５】
前記制御部材６による制御態様は、例えば図５に示すように、前記２．の水質改善の動作により、該軟水の水質が逆浸透膜２の洗浄に使用しても十分なものとなったと軟水の水質測定部材４により確認された場合、該確認を検知してバルブＶ５とバルブＶ６とを制御ラインＬ２１と制御ライン２２を介して制御して開放し、洗浄軟水を軟水排出ラインＬ４とＬ５の双方から排出しながら、逆浸透膜２の一次側を洗浄させる。また、図５に示すように、制御手段６はＲＯ水の医療用装置への供給ラインＬ９の送液手段（ポンプ）Ｐ９と送液手段（ポンプ）Ｐ１０を駆動させるとともに、液面測定部材５によって検知されたＲＯ水貯蔵容器３内の貯留液面を把握し、前記貯留液面がＲＯ水貯蔵容器３内で満杯になったと検知した場合、ＲＯ水第２送液ラインのバルブＶ７を開放し、またＲＯ水第１送液ラインＬ７のバルブＶ８を閉止してＲＯ水の一部を軟水貯蔵タンク１に送液させる。
【符号の説明】
【００１６】
１．軟水貯蔵容器
２．逆浸透膜
３．ＲＯ水貯蔵容器
４．軟水の水質測定部材
５．ＲＯ水貯蔵容器３内に貯留された液面を測定する液面測定部材
６．制御部材
Ｖ１  ラインＬに装着したバルブ  
Ｖ２  ラインＬ１に装置したバルブ
Ｖ４  ラインＬ１３に装着したバルブ
Ｖ５  ラインＬ４に装着されたバルブ  
Ｖ６  ラインＬ５に装着されたバルブ  
Ｖ７  ラインＬ６に装着されたバルブ  
Ｖ８  ラインＬ７に装着されたバルブ
Ｖ９  ラインＬ１１に装着されたバルブ
Ｖ１０  ラインＬ１２に装着されたバルブ
Ｐ１  ラインＬに装着されたポンプ
Ｐ２  ラインＬ１に装着されたポンプ
Ｐ３  ラインＬ９に装着されたバルブ
Ｐ４  ラインＬ１０に装着されたバルブ
Ｌ    原水供給ライン
Ｌ１  軟水を軟水貯蔵容器１に供給する第１軟水供給ライン
Ｌ２  逆浸透膜を不通過の軟水を軟水貯蔵容器１に返送するライン
Ｌ３  軟水を逆浸透膜２に供給する第２軟水供給ライン  
Ｌ４  逆浸透膜２を不通過の濃縮水の排出ライン
Ｌ５  逆浸透膜２を不通過の濃縮水の排出ライン
Ｌ６  逆浸透膜２で純化されたＲＯ水を軟水貯蔵容器に送液するＲＯ水第２送液ライン
Ｌ７  ＲＯ水をＲＯ水貯蔵タンクへ送液するＲＯ水第１送液ライン
Ｌ９  ＲＯ水の医療用装置への供給ライン
Ｌ１０  ＲＯ水の医療用装置への供給ライン  
Ｌ１１  医療用装置からのＲＯ水返送ライン  
Ｌ１２  医療用装置からのＲＯ水返送ライン
Ｌ１３  軟水貯蔵容器１の軟水排出ライン
Ｌ１４  制御ライン
Ｌ１５  制御ライン
Ｌ１６  制御ライン
Ｌ１７  制御ライン
Ｌ１８  制御ライン
Ｌ１９  制御ライン
Ｌ２０  制御ライン
Ｌ２１  制御ライン
Ｌ２２  制御ライン
Ｌ２３  制御ライン
Ｌ２４  制御ライン
【図１】
2014018403.tif 000003
【図２】
2014018403.tif 000004
【図３】
2014018403.tif 000005
【図４】
2014018403.tif 000006
【図５】
2014018403.tif 000007